(57)【要約】  【課題】衛生材料などを収納した容器の開閉が容易にでき、また、衛生材料などの収納の煩雑性を解消し、容器内に塵埃、細菌などの浸入を防止するとともに消毒液の揮発を防止できる。  【解決手段】脱脂綿などの衛生材料を収納した使い捨て容器１の蓋体４を開口する開閉補助具５である。開閉補助具５は、容器本体２の外側に配設する開閉補助具本体６に回動自在に取り付けた開閉補助動作部７を有し、開閉補助動作部７に接合手段23にて蓋体４を係脱自在に接合する。保持解除可能な保持手段16は開閉補助動作部７に係合して開閉補助動作部７に接合した蓋体４が容器本体２の上面開口部を閉塞した状態に保持する。付勢手段は保持手段16の解除動作で開閉補助動作部７を蓋体４の開口方向に付勢する。  【選択図】図１
2005212855.tif 000002
【特許請求の範囲】
【請求項１】
衛生材料またはこの衛生材料及び消毒剤を収納した容器本体とこの容器本体の上面開口部を開閉自在に閉塞し開口時には前記容器本体から分離する蓋体とを備えた使い捨て容器の前記蓋体を開口する開閉補助具であって、
この開閉補助具は、前記容器本体の外側に配設される開閉補助具本体と、この開閉補助具本体に回動自在に取り付けられ前記蓋体を係脱自在に接合する開閉補助動作部とを有し、
この開閉補助動作部に係脱自在に係合しこの開閉補助動作部に接合した前記蓋体が容器本体の上面開口部を閉塞した状態に保持する保持解除可能な保持手段と、
この保持手段の解除動作で前記開閉補助動作部を前記蓋体の開口方向に付勢する付勢手段と
を設けたことを特徴とする容器の開閉補助具。
【請求項２】
容器本体の開口縁部の少なくとも一部に開閉補助具本体に係脱自在に係合する係合縁部を有する
ことを特徴とする請求項１記載の容器の開閉補助具。
【請求項３】
開閉補助具本体は、容器本体を収容可能な筐体にて形成し、開閉補助動作部は前記開閉補助具本体の上面開口部を閉塞する外蓋体としたことを特徴とする請求項１または２記載の容器の開閉補助具。
【請求項４】
開閉補助動作部と蓋体とを接合する接合手段は、開閉補助動作部と蓋体とのいずれか一方に設けられたフック状部材と、前記開閉補助動作部と蓋体とのいずれか他方に設けられ前記フック状部材が係脱自在に接合されるループ状部材とにて構成したことを特徴とする請求項１ないし３のいずれかに記載の容器の開閉補助具。
【請求項５】
開閉補助具本体に容器本体の外面を本体接合手段によって係脱可能に接合することを特徴とする請求項１ないし４のいずれかに記載の容器の開閉補助具。
【発明の詳細な説明】
【技術分野】
【０００１】
本発明は、消毒などに用いるガーゼ、脱脂綿などの衛生材料またはこの衛生材料及び消毒剤とを収納した使い捨て容器の蓋の開閉を補助する容器の開閉補助具に関する。
【背景技術】
【０００２】
従来、病院などでは、カストといわれる金属製容器内にガーゼ、脱脂綿などの衛生材料または衛生材料及び消毒剤を収納して、容器から衛生材料を取り出して使用している。
【０００３】
また、合成樹脂などにて成型した使い捨て容器内に、病院などにおける手数を軽減するために、予め滅菌された衛生材料またはこの衛生材料及び消毒剤を封入したものが知られている。
【０００４】
この使い捨て容器は、容器本体とこの容器本体の開口面を開閉する蓋体とから構成され、この容器本体と蓋体とは別々に分離できる形式、または、容器本体に蓋体が開閉自在に取り付けられている形式が知られている。
【０００５】
そして、蓋体の開閉を容易にするとともに廃棄物を減量する目的から、使い捨て容器本体から蓋体を取り外し、容器本体の開口縁に再利用可能な蓋装置を着脱可能に取り付けるようにし、この蓋装置によって容器本体の開口面を開閉できる構成が提案されている(例えば、特許文献１参照。)。
【０００６】
しかしながら、上記カストを用いる場合には、病院などでまずカストを滅菌消毒してから、カスト内に衛生材料またはこの衛生材料に消毒剤を混入して収納しなくてはならず作業が煩雑であり、大きな負担となっており、カストに収納する衛生材料、消毒剤の分量が適当になり、無駄になることも多かった。
【０００７】
そこで、使い捨て容器に衛生材料または衛生材料と消毒剤とを封入したものが提案されたが、この容器は容器本体と蓋体とが別体となっていると、蓋体の開閉など蓋体の取り扱いが面倒であり、また、容器本体に蓋体が軸にて回動自在に連結されている構造でも、蓋体の閉塞状態から開放するときには、蓋体がばね部材にて付勢されていないと、蓋の開閉作業が面倒であるなど問題があった。
【０００８】
そこで、使い捨て容器の容器本体に蓋体をばねを装着して、係止を解かれた蓋体がばねの付勢力で開放されるようにすることも考えられるが、使い捨て容器としては、滅菌消毒にも耐えるようにしなくてはならず、ばねも必要として単価が上がる問題があった。
【０００９】
さらに、前記特許文献１に示すように、容器本体に、ばね部材を装着してこのばねの付勢力で開口される蓋体を有する反復使用可能な蓋装置を着脱自在に取り付けることができるようにした蓋付き開口保持具が提案されたが、この蓋付き開口保持具は、容器本体に収納された衛生材料がすべて使用されたときには、その容器本体を廃棄して、別の容器本体に蓋装置を装着するようにして、この蓋装置を反復使用するようにしている。
【特許文献１】特開２００２―３０８２３７号公報
【発明の開示】
【発明が解決しようとする課題】
【００１０】
解決しようとする問題点は、特許文献１に示す蓋装置を反復使用すると、使用時または容器本体の交換時などに蓋装置に細菌などが付着し、細菌が容器本体内に浸入するおそれがあり、蓋装置を滅菌消毒しなくてはならず、手数がかかることである。
【００１１】
本発明は上記問題点に鑑みなされたもので、衛生材料またはこの衛生材料及び消毒剤を収納した容器の開閉が容易にでき、また、衛生材料または衛生材料及び消毒剤の収納操作を必要とせず、煩雑性を解消し、さらに、容器内に塵埃、細菌などの浸入を確実に防止でき、また、消毒液の揮発をより確実に防止できる容器の開閉補助具を提供するものである。
【課題を解決するための手段】
【００１２】
本発明の容器の開閉補助具は、衛生材料またはこの衛生材料及び消毒剤を収納した容器本体とこの容器本体の上面開口部を開閉自在に閉塞し開口時には前記容器本体から分離する蓋体とを備えた使い捨て容器の前記蓋体を開口する開閉補助具であって、この開閉補助具は、前記容器本体の外側に配設される開閉補助具本体と、この開閉補助具本体に回動自在に取り付けられ前記蓋体を係脱自在に接合する開閉補助動作部とを有し、この開閉補助動作部に係脱自在に係合しこの開閉補助動作部に接合した前記蓋体が容器本体の上面開口部を閉塞した状態に保持する保持解除可能な保持手段と、この保持手段の解除動作で前記開閉補助動作部を前記蓋体の開口方向に付勢する付勢手段とを設けたものである。
【００１３】
そして、衛生材料またはこの衛生材料及び消毒剤を収納した容器本体の蓋体を開いて分離し、この上面開口部を開いた容器本体を開閉補助具の開閉補助具本体に収納するなど、この容器本体の外側に開閉補助具本体を配設する。次いで、この容器本体の蓋体を開閉補助具の開閉補助動作部に接合する。この状態で、開閉補助具の開閉補助動作部に蓋体を接合し、この開閉補助動作部に接合した蓋体が容器本体の上面開口部を閉塞する状態になるように開閉補助動作部を付勢手段に抗して回動させ、この開閉補助動作部に接合した蓋体が容器本体の上面開口部を閉塞した状態に開閉補助動作部を保持手段にて保持する。
【００１４】
この容器本体に収納した衛生材料を使用する場合には、保持手段を解除操作すると、開閉補助動作部は付勢手段の付勢力で回動され、この開閉補助動作部に接合した蓋体は容器本体の開口部を開口する。
【００１５】
また、衛生材料を容器本体から取り出した後、再び、開閉補助動作部を付勢手段に抗して回動し、開閉補助動作部に結合した蓋体が容器本体の開口部を閉塞した状態に開閉補助動作部を保持手段にて保持する。
【００１６】
また、本発明は、容器本体の開口縁部の少なくとも一部に開閉補助具本体に係脱自在に係合する係合縁部を有するものである。
【００１７】
そして、衛生材料の収納量が少なく高さが低い容器本体でも、開閉補助具本体に容器本体の開口縁部の係合縁部を係脱自在に係合することにより、容器本体は開閉補助具本体に吊り下げられた状態に係合保持され、容器本体の高さが低くても、容器本体の開口縁部に設けた係合縁部を開閉補助具本体に係脱自在に係合するため、容器本体の開口部と開閉補助具の開閉補助動作部との相対位置が略一定となり、容器本体の開閉が確実にでき、容器本体の開口部は机面よりある程度高い位置に位置し、衛生材料の取り出しが容易にでき、衛生材料の使用量の少ない個所で使用する経済的な小さい使い捨て容器を使用できる。
【００１８】
さらに、本発明の容器の開閉補助具の開閉補助具本体は、容器本体を収容可能な筐体にて形成し、開閉補助動作部は前記開閉補助具本体の上面開口部を閉塞する外蓋体としたものである。
【００１９】
そして、使い捨て容器は開閉補助具本体と開閉補助動作部とにて形成される閉塞空間に収納され、衛生材料またはこの衛生材料及び消毒剤を収納した使い捨て容器は二重容器となり、確実に塵埃、細菌などの浸入を防止できるとともに消毒液の揮発をより防止できる、外蓋となる開閉補助動作部の回動で内容器となる容器本体も開口され、操作性が良好である。
【００２０】
また、本発明の容器の開閉補助具の開閉補助動作部と蓋体とを接合する接合手段は、開閉補助動作部と蓋体とのいずれか一方に設けられたフック状部材と、前記開閉補助動作部と蓋体とのいずれか他方に設けられ前記フック状部材が係脱自在に接合されるループ状部材とにて構成したものである。
【００２１】
そして、開閉補助動作部と蓋体とはフック状部材と、このフック状部材が係脱自在に接合されるループ状部材にて構成されるため、開閉補助動作部と蓋体とにフック状部材とループ状部材とを取り付けるのみで、構成が簡単で、容易に製造できる。
【００２２】
さらに、本発明の容器の開閉補助具は、開閉補助具本体に容器本体の外面を本体接合手段によって係脱可能に接合するものである。
【００２３】
そして、容器本体は開閉補助具本体に接合されているため、開閉補助動作部の回動によって蓋体の開口時に蓋体と容器本体とは確実に分離し、容器本体は確実に開口される。
【発明の効果】
【００２４】
本発明によれば、使い捨て容器には、予め衛生材料またはこの衛生材料及び消毒剤が収納されており、カストなどに衛生材料またはこの衛生材料及び消毒剤を収納する手数を省け、また、衛生材料または衛生材料及び消毒剤を収納した容器本体の開閉操作が容易にでき、不使用時は容器本体の開口部が閉塞されており、容器本体は蓋体で閉塞するため、容器の開閉補助具を再使用しても容器本体内に塵埃、細菌が浸入することがない。
【００２５】
また、容器本体の大きさが異なっても、容器本体の開口縁部に設けた接合縁部を開閉補助具本体に係脱自在に係合するため、容器本体の開口部と開閉補助具の開閉補助動作部との相対位置が略一定となり、容器本体の開閉が確実にできる。
【００２６】
さらに、衛生材料またはこの衛生材料及び消毒剤を収納した使い捨て容器は二重容器となり、確実に塵埃、細菌などの浸入を防止できるとともに消毒液の揮発を防止でき、外蓋となる開閉補助動作部の回動で内容器となる容器本体も開口され、操作性が良好である。
【００２７】
また、開閉補助動作部と蓋体とにフック状部材とループ状部材とを取り付けるのみで、構成が簡単で、容易に製造できる。
【００２８】
さらに、容器本体は開閉補助具本体に接合され、開閉補助動作部の回動によって蓋体の開口時に蓋体と容器本体とは確実に分離し、容器本体は確実に開口される。
【発明を実施するための最良の形態】
【００２９】
本発明の容器の開閉補助具の最適な実施の形態を図面に基づいて説明する。
【００３０】
図１ないし図５において、使い捨て容器１は消毒などに用いるガーゼ、脱脂綿、或いは不織布などの衛生材料またはこれらの衛生材料及び消毒剤とを収納した容器本体２とこの容器本体２の上面開口部３を開閉自在に閉塞し開口時には前記容器本体２から分離する蓋体４とにて構成されている。
【００３１】
この容器本体２の材料は、例えば、ポリプロピレン、ポリエチレンテレフタレート、ポリエチレン。ポリアクリロニトリル、ポリアミド、ポリビニルアルコール、エチレン・ビニルアルコール共重合体、或いはこれらの合成樹脂の組み合わせなどであり、これらの合成樹脂シートを深絞り加工により有底の略円筒状または角筒状の筐体に成形されている。
【００３２】
この容器本体２はある程度の形状を保持できる剛性を有しかつ廃棄時に容易に潰せる程度の厚みが好ましく、例えば、成形状態で周面及び底面の厚みは1.0mm以上が好ましい。
【００３３】
前記蓋体４は、前記容器本体２と同一の材料またはアルミニウム箔、或いはこれらの貼り合わせ材にて成形され、この容器本体２の開口縁部に剥離可能に接合されている。
【００３４】
また、この使い捨て容器１にはガーゼ、脱脂綿、或いは不織布などの衛生材料のみを収納し、または、これらの衛生材料とともに消毒剤を収納するもので、この消毒剤としては、例えば、アルコール類、ポピドンヨード、グルコン酸クロルヘキシジン、塩化ベンザルコニウムなどの物質またはこれらの混合物質などである。
【００３５】
次に、前記使い捨て容器１の蓋体４を開口する開閉補助具５は、前記使い捨て容器１の容器本体２の外側に配設される開閉補助具本体６と、この開閉補助具本体６に軸を中心として回動自在に取り付けられた開閉補助動作部７とにて構成されている。
【００３６】
前記容器本体２の外側に配設される開閉補助具本体６は、例えば、前記使い捨て容器１を嵌合して収納できる有底の略円筒状または角筒状の筐体に成形されている。この開閉補助具本体６は、前記容器本体２と同一材料または金属など適宜の材料で、簡単に折れ、或いは、変形することがないように厚みを厚くして、前記容器本体２より剛性を高めている。
【００３７】
また、前記開閉補助動作部７は、前記容器本体２と同一材料または、硬質合成樹脂、金属など適宜の材料で成形され、簡単に折れ、或いは、変形することがない剛性を有し、さらに、この開閉補助動作部７は前記開閉補助具本体６の上面開口部８を閉塞し前記開閉補助具本体６の上面開口部８の周縁部に形成した拡径開口縁９に嵌合される外蓋体に形成され、この開閉補助動作部７の外周部の一側に突出形成した軸支部10は、前記開閉補助具本体６の拡径開口縁９の一側突部11に切り欠き形成した軸受け凹部12に軸13にて回動自在に軸支されている。
【００３８】
さらに、前記開閉補助具本体６の突部11に形成した軸受け凹部12には前記開閉補助動作部７を軸支した軸13の内側に位置して軸14が設けられ、この軸14に巻装した付勢手段の巻きばね15の一端側は前記開閉補助動作部７の内面に、他端側は前記開閉補助具本体６に係止され、この開閉補助動作部７は巻きばね15にて開放方向に弾性付勢力が付与されている。
【００３９】
また、前記開閉補助具本体６に前記開閉補助動作部７を軸支した位置と対向する他側部にはこの開閉補助動作部７に係脱自在に係合しこの開閉補助動作部７に接合した前記蓋体４が容器本体２の上面開口部３を閉塞した状態に保持する保持解除可能な保持手段16が設けられている。
【００４０】
この保持手段16について説明する。
【００４１】
前記開閉補助具本体６の前記開閉補助動作部７を軸支した位置と対向する他側部には、固定摘み部17が、前記開閉補助具本体６の上面開口部８とほぼ同一高さ位置に一体に突設形成されている。この固定摘み部17に対向してこの固定摘み部17の上側に少許の間隙をもって弾性復元力を有する変形部18を介して前記開閉補助動作部７に係脱自在に係合される押圧摘み部19が設けられている。そして、この押圧摘み部19は前記開閉補助動作部７に係合する先端部が変形部18により前記固定摘み部17側に弾性復元力を有し、この押圧摘み部19を弾性復元力に抗して変形させると前記開閉補助動作部７との係合が解かれる。
【００４２】
この押圧摘み部19には前記開閉補助具本体６の上面開口部８より内側に突出する係合部20が設けられ、この係合部20は前記開閉補助動作部７の軸支部10に対向する他側部に形成した係止部21に係脱自在に係止されるようになっている。
【００４３】
また、前記開閉補助動作部７には、前記開閉補助具本体６の上面開口部８の内周面に嵌合接触する環状突縁部22が形成されている。
【００４４】
そして、この保持手段16の解除動作により前記付勢手段の巻きばね15の付勢力で前記開閉補助動作部７は前記蓋体４の開口方向に付勢されるようになっている。
【００４５】
また、前記開閉補助具５の開閉補助動作部７に使い捨て容器１の蓋体４が接離可能に接合手段23によって接合される。この開閉補助動作部７に蓋体４を接合する接合手段23は、例えば、開閉補助動作部７の内面と蓋体４の外面とのいずれか一方、例えば開閉補助動作部７の内面に設けられた面ファスナーなどのフック状部材24と、前記開閉補助動作部７と蓋体４とのいずれか他方、例えば蓋体４に設けられ前記フック状部材24が係脱自在に接合される面ファスナーなどのループ状部材25とにて構成されている。
【００４６】
さらに、前記開閉補助具本体６の内底部に前記容器本体２の外面、例えば底面を係脱可能に接合する本体接合手段26が設けられている。この本体接合手段26は、開閉補助具本体６の内底部と容器本体２の底面とのいずれか一方、例えば開閉補助具本体６の内底部に設けた面ファスナーなどのフック状部材27と、開閉補助具本体６の内底部と容器本体２の底面とのいずれか他方、例えば容器本体２の底面に設けられ前記フック状部材27が係脱自在に接合される面ファスナーなどのループ状部材28とにて構成されている。
【００４７】
次に、実施の形態の作用について説明する。
【００４８】
衛生材料またはこの衛生材料及び消毒剤を収納した使い捨て容器１の容器本体２から蓋体４の封止を解いて分離することにより上面開口部３を開いた状態とする。この状態で、図１に示すように、使い捨て容器１を開閉補助具５の開閉補助具本体６に嵌合収納することにより、この容器本体２の外側に開閉補助具本体６が配設された状態とする。
【００４９】
そして、容器本体２の上面開口部３開いて分離した蓋体４を開閉補助具５の開閉補助動作部７に面ファスナーのフック状部材24とループ状部材25とのにより接合する。この状態で、開閉補助動作部７に接合された蓋体４が容器本体２の上面開口部３を閉塞するように、開閉補助動作部７を付勢手段の巻きばね15に抗して回動させ、図２ないし図４に示すように、この開閉補助動作部７に接合した蓋体４が容器本体２の上面開口部３を閉塞した状態に開閉補助動作部７を保持手段16にて保持する。
【００５０】
この容器本体２に収納した衛生材料を使用する場合には、保持手段16を解除操作することにより、開閉補助動作部７は付勢手段の巻きばね15の付勢力で回動され、この開閉補助動作部７に接合した蓋体４は容器本体２の上面開口部３を開口する。すなわち、蓋体４を開くときには、保持手段16の固定摘み部17と押圧摘み部19とを指で挟んで押圧摘み部19を押し下げると、押圧摘み部19は固定摘み部17と連結した変形部18の弾性復元力に抗して下方に変形傾斜し、この押圧摘み部19の係合部20は上方に傾斜し、開閉補助動作部７の係止部21との係合が解かれ、開閉補助動作部７は巻きばね15の付勢力で軸13を中心として回動し、図５に示すように、前記開口補助具本体６の拡径開口縁９は開口される。
【００５１】
なお、使い捨て容器１の容器本体２と開閉補助具本体６とは、開閉補助具本体６の内底部に設けた面ファスナーなどのフック状部材27と、容器本体２の底面に設けられ前記フック状部材27が係脱自在に接合される面ファスナーなどのループ状部材28とによって接合されているため、容器本体２は開閉補助具本体６に保持され、開閉補助動作部７の回動によって蓋体４の開口時に蓋体４と容器本体２とは確実に分離し、容器本体２の上面開口部３は確実に開口される。
【００５２】
また、衛生材料を容器本体２から取り出した後、再び、開閉補助動作部７を付勢手段の巻きばね15に抗して回動すると、開閉補助動作部７に接合した蓋体４が容器本体２の上面開口部３を閉塞した状態に開閉補助動作部７を保持手段16にて保持する。すなわち、開いている蓋体４を閉じるときには、開閉補助動作部７を巻きばね15に抗して閉じ方向に押し付けると、開閉補助動作部７は軸13を中心として回動し、開閉補助動作部７の係止部21は押圧摘み部19の係合部20を弾性復元力に抗して押し付け、押圧摘み部19の係合部20は下方に傾斜し、開閉補助動作部７の係止部21が押圧摘み部19の係合部20と係合が外れ、開閉補助動作部７の係合部20は上方に弾性復元力で復帰し、押圧摘み部19は蓋体４の係止部21に係合し、開閉補助動作部７は蓋体４は閉じた状態に保持される。
【００５３】
そして、使い捨て容器１は開閉補助具本体６と開閉補助動作部７とにて形成される閉塞空間30に収納され、衛生材料またはこの衛生材料及び消毒剤を収納した使い捨て容器１は二重容器となり、確実に塵埃、細菌などの浸入を防止できるとともに消毒液の揮発をより防止でき、操作性が良好である。
【００５４】
次に、他の実施の形態を図６及び図７に基づいて説明する。
【００５５】
図１ないし図５に示す実施の形態では、開閉補助具５の開閉補助動作部７は、開閉補助具本体６の上面開口部８を閉塞する外蓋体に形成した構成としたが、開閉補助動作部７は必ずしも、開閉補助具本体６の上面開口部８を全面的に閉塞する必要はなく、例えば、開閉補助具本体６の上面開口部８の中央部のみを覆う形状とし、この開閉補助動作部７の外周部の一側に突出形成した軸支部10は、前記開閉補助具本体６の拡径開口縁９の一側突部11に前記図１ないし図５に示す実施の形態と同様に軸(図示しない。)にて回動自在に軸支されている。
【００５６】
また、前記開閉補助具本体６に前記開閉補助動作部７を軸支した位置と対向する他側部には、前記図１ないし図５に示す実施の形態と同様に、この開閉補助動作部７に係脱自在に係合しこの開閉補助動作部７に接合した前記蓋体４が容器本体２の上面開口部３を閉塞した状態に保持する保持解除可能な保持手段16が設けられている。
【００５７】
さらに、前記図１ないし図５に示す実施の形態と同様に、前記開閉補助具５の開閉補助動作部７の内面に使い捨て容器１の蓋体４とが接合手段23にて接離可能に接合される。
【００５８】
また、前記図１ないし図５に示す実施の形態と同様に、前記開閉補助具本体６の内底部に前記容器本体２の外面、例えば底面を係脱可能に接合する本体接合手段26が設けられている。
【００５９】
この実施の形態では、開閉補助具本体６の内部は、開閉補助動作部７が閉じた状態でも、この開閉補助動作部７の両側部より覗視でき、使い捨て容器１が内部にあるか否か容易に確認でき、開閉補助動作部７は小形で安価にできる。
【００６０】
なお、この実施の形態では、他の構成作用は、前記図１ないし図５に示す実施の形態と同様である。
【００６１】
次に他の実施の形態を図８及び図９に基づいて説明する。
【００６２】
前記図６及び図７に示す構成では、前記開閉補助具５の開閉補助動作部７の内面に使い捨て容器１の蓋体４とが接離可能に接合される接合手段23は、前記図１ないし図５に示す実施の形態と同様に、面ファスナーなどのフック状部材24と、このフック状部材24が係脱自在に接合される面ファスナーなどのループ状部材25とにて構成したが、この構成に限られるものではない。
【００６３】
図８及び図９に示す実施の形態では、使い捨て容器１の上面開口部３を閉塞する蓋体４には、嵌合縁部31に外方に向って突出するフランジ32を外周に沿って環状に形成し、開閉補助具５の開閉補助動作部７の内面に弾性係合片33を複数設け、この弾性係合片33の先端に、前記使い捨て容器１の蓋体４のフランジ32の下面に係脱自在に係合する係止片部34を形成した構成である。
【００６４】
この実施の形態の構成では、開閉補助具５の開閉補助動作部７に設けた弾性係合片33の先端に形成されている係止片部34が蓋体４のフランジ32に係合することによって、開閉補助動作部７の付勢手段による回動によって蓋体４が容器本体２の上面開口部３を開口し、また、開閉補助動作部７の付勢手段に抗した復帰回動で、蓋体４は容器本体２の上面開口部３を閉塞する。
【００６５】
他の構成及び作用は、前記図１ないし図５に示す実施の形態と同様である。
【００６６】
さらに、次に他の実施の形態を図１０ないし図１２に基づいて説明する。
【００６７】
前記図８及び図９に示す実施の形態では、使い捨て容器１の上面開口部３を閉塞する蓋体４には、嵌合縁部31に外方に向って突出するフランジ32を設け、このフランジ32に開閉補助具５の開閉補助動作部７に設けた弾性係合片33の先端に形成されている係止片部34が係脱自在に係合する構成としたが、この構成に限られるものではなく、使い捨て容器１の蓋体４の嵌合縁部31に外方に向って突出するフランジ32を形成することなく、蓋体４の嵌合縁部31に溝状の係合凹部35を形成した構成である。
【００６８】
この実施の形態の構成では、開閉補助具５の開閉補助動作部７に設けた弾性係合片33の先端に形成されている係止片部34が蓋体４の係合凹部35に係合することによって、開閉補助動作部７の付勢手段による回動によって蓋体４が容器本体２の上面開口部３を開口し、また、開閉補助動作部７の付勢手段に抗した復帰回動で、蓋体４は容器本体２の上面開口部３を閉塞する。
【００６９】
さらに、次に他の実施の形態を図１３及び図１４に基づいて説明する。
【００７０】
この実施の形態では、使い捨て容器１の上面開口部３を閉塞する蓋体４と開閉補助具５の開閉補助動作部７の内面とを接離可能に接合する接合手段23は、蓋体４の外面と開閉補助動作部７の内面とのいずれか一方に凸部、例えば偏平円筒状の凸部38を突設し、他方にこの凸部38を、例えば蓋体４の材料による弾力的に係脱自在に嵌合する凹部39を形成した構成である。
【００７１】
この実施の形態でも、開閉補助具５の開閉補助動作部７と蓋体４との凸部38と凹部39の弾力的な嵌合によって、開閉補助動作部７の付勢手段による回動によって蓋体４が容器本体２の上面開口部３を開口し、また、開閉補助動作部７の付勢手段に抗した復帰回動で、蓋体４は容器本体２の上面開口部３を閉塞する。
【００７２】
そして、この実施の形態の他の構成及び作用は、前記各実施の形態と同様である。
【００７３】
なお、前記開閉補助具５の開閉補助動作部７の内面に使い捨て容器１の蓋体４とが接離可能に接合される接合手段23は、図１ないし図５に示す面ファスナーなどのフック状部材24と、このフック状部材24が係脱自在に接合される面ファスナーなどのループ状部材25とによりの構成、図８及び図９または図１０ないし図１２、或いは、図１３及び図１４に示す開閉補助動作部７の内面に使い捨て容器１の蓋体４のフランジ部または係合凹部35に係脱自在に係合する係止片部34を形成した弾性係合片33を設けた構成、開閉補助動作部７の内面と使い捨て容器１の蓋体４の外面とに形成した凸部38と凹部39との弾力的嵌合する構成などに限られるものではなく、嵌め込み構成、引っ掛け構成など適宜の構成の接合手段を採用することができる。
【００７４】
次に、他の実施の形態を図１５及び図１６に基づいて説明する。
【００７５】
この実施の形態は、開閉補助具５の開閉補助具本体６に、使い捨て容器１の容器本体２の上面開口縁部の少なくとも一部に開閉補助具５の開閉補助具本体６に係脱自在に係合する係合縁部36を延設したものである。
【００７６】
そして、この使い捨て容器１の容器本体２の高さは、開閉補助具５の開閉補助具本体６の高さより低い寸法とし、この容器本体２の上面開口部３の縁部の少なくとも一部に、例えば、容器本体２の上面開口部３の縁部両側に開閉補助具本体６の上面開口部８の縁部に係脱自在に係合するフラップ状係合縁部36を延設し、この両係合縁部36の外縁に沿って下方に向って前記開閉補助具本体６の外面に係止する係止縁部37を形成する。
【００７７】
他の構成は、前記図１ないし図５に示す実施の形態と同様である。
【００７８】
そして、この実施の形態では、衛生材料またはこの衛生材料及び消毒剤を収納した使い捨て容器１の容器本体２から蓋体４の封止を解いて分離することにより上面開口部３を開いた状態とする。この状態で、使い捨て容器１を開閉補助具本体６の上面開口部８から嵌合収納することにより、容器本体２の係合縁部36が開閉補助具５の開閉補助具本体６の上面開口部８の両側縁部に係合されるとともに係止縁部37が開閉補助具本体６の外面に係止され、この容器本体２は開閉補助具本体６内に吊り下げられた状態に配設支持される。
【００７９】
そして、容器本体２の蓋体４を開いて分離した状態で、この容器本体２の蓋体４を開閉補助具５の開閉補助動作部７に接合手段23、例えば面ファスナーのフック状部材24とループ状部材25とのにより接合する。この状態で、開閉補助動作部７に接合された蓋体４が容器本体２の上面開口部３の一部を覆うように、開閉補助動作部７を付勢手段の巻きばね(図示しない。)に抗して回動させる。この開閉補助動作部７に接合した蓋体４が容器本体２の上面開口部３を閉塞した状態になるように、開閉補助動作部７を保持手段16にて保持する。
【００８０】
この容器本体２に収納した衛生材料を使用する場合には、保持手段16を解除操作すると、開閉補助動作部７は付勢手段の巻きばね(図示しない。)の付勢力で回動され、この開閉補助動作部７に接合した蓋体４は容器本体２の上面開口部３を開口する。このとき、容器本体２は係合縁部36が開閉補助具５の開閉補助具本体６の上面開口部８の両側縁部に係合された状態に保持され、係止縁部37が開閉補助具本体６の外面に係止されて容器本体２は移動が阻止されている。
【００８１】
そして、この実施の形態では、衛生材料の使用量が少ないときには、衛生材料の収納量が少なく高さが低い使い捨て容器１を用いても、開閉補助具本体６に容器本体２の開口縁部の少なくとも一部が係脱自在に係合されることにより、容器本体２は開閉補助具本体６に吊り下げられた状態に係合保持され、容器本体２の高さが低くても、容器本体２の開口縁部に設けた係合縁部36を開閉補助具本体６に係脱自在に係合されるため、容器本体２の上面開口部３と開閉補助具５の開閉補助動作部７との相対位置が略一定となり、容器本体２の開閉が確実にでき、容器本体２の上面開口部３は机面よりある程度高い位置に位置し、衛生材料の取り出しが容易にでき、衛生材料の使用量の少ない個所で使用する経済的な小さい使い捨て容器１を使用できる。
【００８２】
なお、図１５及び図１６に示す実施の形態では、開閉補助具５の開閉補助具本体６に、使い捨て容器１の容器本体２の上面開口縁部の両側を係脱自在に係合する係合縁部36を設けた構成について説明したが、係合縁部36及び係止縁部37は容器本体２の上面開口縁部の両側に限られるものではなく、また、係合縁部36及び係止縁部37は容器本体２の上面開口縁部の全周縁に形成し、容器本体２が確実に開閉補助具本体６に支持されるようにすることもできる。
【００８３】
また、他の作用は前記図１ないし図５に示す実施の形態と同一である。
【００８４】
さらに、前記実施の形態では、開閉補助具本体６の底部に容器本体２の外面を係脱可能に接合手段23にて接合した構成について説明したが、開閉補助具本体６は必ずしも容器本体２を支持する底部は必要なく、また、開閉補助具本体６は容器本体２の外側部に配設される構成でもよく、開閉補助具本体６の形成材料を少なくして経済的に構成することもできる。
【００８５】
この開閉補助具本体６に底部を形成しない構成では、容器本体２の側部を開閉補助具本体６の側部など適宜の個所に、例えば、図１５及び図１６に示す実施の形態において、容器本体２は係合縁部36が開閉補助具５の開閉補助具本体６の上面開口部８の両側縁部に係合された状態で、係止縁部37が開閉補助具本体６の外面に適宜の接合手段23で係脱自在に接合するようすることもできる。
【００８６】
そして、容器本体２は係止縁部37が開閉補助具本体６の外面に接合手段23で接合されることにより、蓋体４に容器本体２が付着することなく、開閉補助動作部７に接合した蓋体４は容器本体２の上面開口部３を確実に開口することができる。
【図面の簡単な説明】
【００８７】
【図１】本発明の一実施の形態を示す容器の開閉補助具に使い捨て容器を装着するときの状態を示す斜視図である。
【図２】同上容器の開閉補助具の左側面図である。
【図３】同上容器の開閉補助具の縦断正面図である。
【図４】同上容器の開閉補助具の平面図である。
【図５】同上使い捨て容器の蓋体を開いた状態の斜視図である同上使い捨て容器の蓋体を開いた状態の斜視図である。
【図６】本発明の他の実施の形態を示す説明平面図である。
【図７】同上VII−VII線部の縦断説明正面図である。
【図８】本発明の他の実施の形態を示す説明平面図である。
【図９】同上IX−IX線部の縦断説明左側面図である。
【図１０】本発明の他の実施の形態を示す説明平面図である。
【図１１】同上XI−XI線部の縦断説明左側面図である。
【図１２】図１０のXII−XII線部の縦断説明左側面図である。
【図１３】本発明の他の実施の形態を示す説明平面図である。
【図１４】同上XIV−XIV線部の縦断説明左側面図である。
【図１５】本発明の他の実施の形態を示す説明平面図である。
【図１６】同上XVI−XVI線部の縦断説明正面図である。
【符号の説明】
【００８８】
１    使い捨て容器
２    容器本体
３    上面開口部
４    蓋体
５    開閉補助具
６    開閉補助具本体
７    開閉補助動作部
８    上面開口部
15    付勢手段の巻きばね
16    保持手段
23    接合手段
24    フック状部材
25    ループ状部材
26    本体接合手段
36    係合縁部
【図１】
2005212855.tif 000003
【図２】
2005212855.tif 000004
【図３】
2005212855.tif 000005
【図４】
2005212855.tif 000006
【図５】
2005212855.tif 000007
【図６】
2005212855.tif 000008
【図７】
2005212855.tif 000009
【図８】
2005212855.tif 000010
【図９】
2005212855.tif 000011
【図１０】
2005212855.tif 000012
【図１１】
2005212855.tif 000013
【図１２】
2005212855.tif 000014
【図１３】
2005212855.tif 000015
【図１４】
2005212855.tif 000016
【図１５】
2005212855.tif 000017
【図１６】
2005212855.tif 000018